(57)【要約】 【課題】遊技機島の強度と安定性を損なうことなく、遊技中の遊技客の足元スペースを従来の遊技機島より広く確保し、さらに、遊技島を解体することなくパチンコ機とパチスロ機との間の相互交換が可能な遊技島を提供する。【解決手段】パチンコ台４０及びスロット台５０を支持して島を構成する支持柱１であって、前記支持柱１は左右それぞれに、支柱２と前記支柱２の内側に補助支柱３を備え、前記支柱２及び前記補助支柱３には膳板５ａ、５ｂを保持する保持手段１０と保持手段１０を上下に調整する位置調整手段１１を備える構成にした。【選択図】図１
2009226124.tif 000002
【特許請求の範囲】
【請求項１】
パチンコ台及びスロット台を支持して島を構成する支持柱であって、前記支持柱は左右それぞれに、支柱と前記支柱の内側に補助支柱を備え、前記支柱及び前記補助支柱には遊技機及び関連設備を保持する保持手段と保持手段を上下に調整する位置調整手段を備える構成にしたことを特徴とする支持柱。
【請求項２】
長手方向の前記補助支柱間に腰板ユニットを取付け、前記腰板ユニットの遊技者側の前面が膳板の後側面より外側に位置するように構成したことを特徴とする支持柱。
【請求項３】
前記支柱と前記補助支柱とで遊技機及び関連設備の荷重を前記膳板を介して均等に負担可能に構成したことをと特徴とする請求項1〜２のいずれかに記載の支持柱。
【請求項４】
パチンコ機とパチスロ機の奥行き寸法の違いを膳板の奥行き幅で吸収し得るように構成したことを特徴とする請求項1〜３のいずれかに記載の支持柱。
【発明の詳細な説明】
【技術分野】
【０００１】
この発明は、パチンコ台及びパチスロ台を支持する支持柱に係り、特に、遊技機島の強度と安定性を損なうことなく、遊技中の遊技客の足元スペースを従来の遊技機島より広く確保し、さらに、パチンコ台あるいはパチスロ台の設置高さを容易に調整できるパチンコ台およびパチスロ台の支持柱に関する。                                          
【背景技術】
【０００２】
遊技機及びその関連設備が多数取付けられる遊技機島において、従来の遊技機島（図４）は、床面に支柱７１を立てて、該支柱７１の上部には上部枠７５を設け、上部枠７５には幕板７６、ランプ板７７が取付けられている。また、中部には遊技機、関連設備１００が取付けられ、それらの荷重に耐え得るだけの強度と安定性を確保するために、遊技機及び関連設備１００の下方には遊技機及び関連設備を保持するための支持枠７２と支持枠７２の上部に膳板７３ａ，７３ｂが備えられ、さらに、短手方向の支持枠７２外側間を約４５０〜６００ｍｍ程度確保することで、遊技機島７０の強度と安定性を確保している。しかし、これは遊技機島の強度と安定性を確保するには良いが、遊技者にとって足元のスペースが狭く窮屈な姿勢を強いられ、長時間の遊技を行う際には、疲れてしまうという問題点があった。そこで、遊技機の下方に、遊技者の足が入り込む足入れスペースを形成する事が提案されている。（例えば特許文献１〜４参照）このようにすると、遊技者は、足を伸ばした楽な姿勢で遊技ができるので、遊技による疲労を軽減できる。
【０００３】
また、パチンコ機を好んで遊技していた遊技客がパチスロ機に興味を覚えるようになった場合や、その逆の場合、パチンコ機とパチスロ機とでは設置高が違うため、遊技客の嗜好の変化に応じるためには、遊技機島を解体し、新たに設置するといった大変困難な作業と費用を強いられた。それを解決するための遊技島ユニットとして例えば、特許文献５に記載されたものがある。特許文献５に記載された遊技機島ユニットは、一体化された支持枠を備え、この支持枠は、上部フレーム体と、下部フレーム体と、上部フレーム体と下部フレーム体とを接続する接続フレームと、から概略構成されている。下部フレーム体は、側面視下向きのコの字状に形成され、そのコの字状肩部の上に平板を介してパチンコ機を設置可能に構成されている。下部フレーム体の上部肩部から垂下する2本の支柱には、位置調整孔とこれを螺合する固定ボルトからなる位置調整手段が設けられている。位置調整手段は、パチンコ機からパチスロ機に入れ替えするとき、または、その逆を行うときに、膳板の高さ調整を可能にする。パチンコ機は、下部フレーム体の肩部の上に載せられているが、パチスロ機はパチンコ機より設置位置が低く、下部フレーム体自体の高さは変えられないので、パチスロ機は下部フレーム体の側面横に配置される。つまり、奥行き方向そのままの位置で縦方向の位置だけを変化させることが出来ないので、変化させられる位置までパチスロ機を下部フレーム体の横方向に逃がしている。
【０００４】
【特許文献１】特開平８−８９６５１号公報
【特許文献２】特開平８−２４３２５１号公報
【特許文献３】特開２００３−１３５８２５号公報
【特許文献４】特開２００７−１８１５２３号公報
【特許文献５】特許第３０１８２３９号（段落００２２〜００２９、図２、３参照）
【発明の開示】
【発明が解決しようとする課題】
【０００５】
特許文献１から４に記載の遊技機島では、遊技者は、足を伸ばした楽な姿勢で遊技ができるが、支持枠の上の膳板を介して設置された遊技機は、支持枠自体の高さが変えられない構造になっているため、設置高の違うパチンコ機からパチスロ機に入れ替えするとき、または、その逆を行うときには、遊技機島を解体し、新たに設置するといった大変困難な作業と費用を強いられる。また、特許文献５に記載の遊技機島では、図２．３から明らかなように、下部フレームの上部に膳板と遊技機を備え、下部を床面に固定している。これは、遊技者にとって、足元のスペースが狭く、窮屈な姿勢を強いられる。また、パチンコ機より奥行き幅が大きいパチスロ機に入れ替えする際、下部フレーム自体の高さが変えられないため、下部フレームの側面横までずらして配置しなければならない。そのため、安定性が損なわれ、かつパチスロ機を操作する遊技客から見て手前領域が占有される事になる。パチスロ機と遊技客との間には遊技客が遊技するための相応の領域が必要である。つまり、パチスロ機が設置されると、その分、遊技機島間の通路が侵食されることになる。背中合わせになっている他の遊技機島にもパチスロ機が設置された場合には、通路の両脇から領域を侵食されることになる。遊技機の島間の距離は不変であるから、通路の両脇から侵食されると、他の遊技客がその通路を通過出来なくなってしまう恐れがある。
【０００６】
本発明は、上記の事情にかんがみなされたものであり、遊技機及びその関連設備が多数取付けられる遊技機島において、遊技中の遊技客の足元スペースを従来の遊技機島より広く確保し、且つ、遊技機島を解体し、新たに設置するといった大変困難な作業と費用を強いることなく、パチンコ機とパチスロ機間の相互交換が可能であり、特に、パチンコ機からパチスロ機に入れ替え設置したときでも遊技機島間が通路へ侵食するのを最小限に食い止め、且つ、関連設備の荷重に耐え得るだけの強度と安全性を保持しうる遊技機島を提供することを目的とする。
【課題を解決するための手段】
【０００７】
本発明は、（１）パチンコ台及びスロット台を支持して島を構成する支持柱であって、前記支持柱は左右それぞれに、支柱と前記支柱の内側に補助支柱を備え、前記支柱及び前記補助支柱には膳板を保持する保持手段と保持手段を上下に調整する位置調整手段を備えた。（２）長手方向の前記補助支柱間に腰板ユニットを取付け、前記腰板ユニットの遊技者側の前面が膳板の後側面より外側に位置するように構成した。（３）前記支柱と前記補助支柱とで遊技機及び関連設備の荷重を前記膳板を介して均等に負担可能に構成した。（４）パチンコ機とパチスロ機の奥行き寸法の違いを膳板の奥行き幅で吸収し得るように構成したことによって上記課題を解決し、本発明の目的を達成することができる。      
【発明の効果】
【０００８】
本発明に係る支持柱よれば、遊技機島の強度と安定性が損なわれずに遊技客の足入れスペースが大幅に確保でき、またパチンコ機とパチスロ機の相互入れ替えに伴う遊技機の設置高変更も、遊技機島を解体し、新たに設置するといった大変困難な作業をせずとも容易に高さ調整ができる。
【０００９】
さらに、パチンコ機とパチスロ機の奥行き寸法の違いを膳板の奥行き幅で吸収し得るように構成したことより、パチンコ機からパチスロ機への入れ替えに際しても遊技機島間が通路へ侵食することを最小限に食い止めることを可能にした。
【発明を実施するための最良の形態】
【００１０】
図１に示すように、支持柱１は支柱２と補助支柱３で構成され、補助支柱３を支柱２の内側に備え、支柱２と補助支柱３間が接続フレーム４によって固定されている。支柱２と補助支柱３の底面（図示しない）にはアンカーボルトを通す穴が空いており、支柱２と補助支柱３はアンカーボルトで床面に固定立設させている。支柱２と補助支柱３にはパチンコ機４０、パチスロ機５０を保持する保持手段１０と保持手段１０を上下に調整する位置調整手段１１が備えられている。支柱２の上部には上部固定枠９が備えられており、上部固定枠９は押しボタンパネル〈図に示さない〉、幕板パネル（図に示さない）の取付けベース板と、島揺れ防止としての役割を担って構成されている。
【００１１】
図２、３に示すように、支柱２の内側に補助支柱３を備え、支柱２と補助支柱３には膳板５ａ，５ｂを保持するための支持金具１０ａと支持金具１０ａを上下に調整する位置調整孔１１ａ，１１ｂ、１１ｃ、１１ｄが設けられている。支持金具１０ａは位置調整孔１１ａ、１１ｂ、１１ｃ、１１ｄに支持金具取付けボルト１０ｂで固定されている。膳板５ａ，５ｂはその支持金具１０ａの上に載置固定し、パチンコ機４０及びスロット機５０を膳板５ａ，５ｂの上に設置することにより、パチンコ機４０，スロット機５０の下方に足入れ空間１３を形成した。これにより、遊技者は、より楽な姿勢で遊技を行うことができ、遊技による疲労感を軽減することができる。また、パチンコ機４０，スロット機５０の荷重を支柱２と補助支柱３で均等に負担したことで安定性が向上し,更に支柱２の内側に補助支柱３を備えたことで、より強度と安定性を高めることができる。
【００１２】
図１，３に示すように、長手方向の補助支柱３間には、補助支柱３の厚みと同等幅の腰板ユニット７を取付け、腰板ユニット７の遊技者側の面が膳板５ａ，５ｂの後側面より外側になるように構成したことで、腰板ユニット７の高さをそのままに、膳板５ａ、５ｂの高さをパチンコ機４０，スロット機５０の設置高に合わせて上下に移動調整することが容易にできるようになっている。これにより、設置高の違うパチンコ機４０とスロット機５０の相互間の入れ替えに際しても、遊技機島を解体することなく容易に高さ調整ができるようになっている。
【００１３】
膳板５ａ、５ｂの高さ調整は支柱２と補助支柱３に設けえられた位置調整孔１１ａ、１１ｂ、１１ｃ、１１ｄにパチンコ機４０，スロット機５０の高さに合わせて支持金具１０ａを移動させ支持金具取付けボルト１０ｂで固定すればよい。
【００１４】
図３に示すように、スロット機５０の奥行き寸法分を膳板５ａ，５ｂの奥行き幅にもたせたことで、設置幅の狭いパチンコ機４０から設置幅の広いスロット機５０に入れ替えても遊技機島間が通路へ侵食することがない。
【００１５】
図３に示すように、腰板ユニット７の裏側にパチンコ機４０、スロット機５０より排出した遊技媒体を搬送する搬送溝８が備えられている。
【００１６】
図３、５に示すように、搬送溝に遊技媒体を略水平搬送する搬送装置３０を備え、島端に遊技媒体を集積する集積タンク３１を設けている。集積タンク３１の近傍には遊技媒体を島上方に研磨揚送する研磨揚送装置３２と研磨揚送された遊技媒体を貯留する島上タンク３３と島上タンク３３からオーバーフローした遊技媒体を貯留する貯留タンク３４を備える構成にしている。このような構成にすることにより、遊技機島の島内下部は遊技媒体を搬送する搬送装置３０以外の装置が設置されないので、搬送溝８の幅を狭くすることができる。これにより、膳板５ａ，５ｂの奥行き幅も大きく確保でき、パチンコ機４０とスロット機５０の奥行き寸法の差を膳板５ａ，５ｂの奥行き幅で吸収可能にしている。
【００１７】
図６に示すように、遊技媒体搬送装置３０は集積タンク３１側に設けられた駆動ローラー２０と、反対側に設けられた従属ローラー２１とに掛け回された無端ベルト２２の回動によって搬送するようになっている。また、搬送フレーム２３と無端ベルト２２の間に細い円筒状の筒２４を敷き、摩擦抵抗を軽減する構成にしてもよい。無端ベルト２２の表面は、（例えば、タイミングベルトのような）凸凹を有することが好ましい。このようにすると、無端ベルト２２上における遊技媒体の転動を抑え、搬送効率を高めることができる。
【００１８】
以上、本発明の遊技機島について、好ましい実施形態を示して説明したが、本発明に係る遊技機島は、上述した実施形態にのみ限定されるものではなく、本発明の範囲で種々の変更実施が可能であることは言うまでもない。
【図面の簡単な説明】
【００１９】
【図１】本発明の実施形態に係る遊技機島の斜視図
【図２】本発明の遊技機島の要部を示す斜視図
【図３】本発明の遊技機島にパチンコ機及びスロット機を配置した状態の側面図
【図４】従来の遊技機島を示す側面図
【図５】本発明の遊技機島を示す正面図
【図６】本発明の遊技媒体回収搬送装置を示す側面図
【符号の説明】
【００２０】
１  支持柱      
２  支柱      
３  補助市柱      
４  接続フレーム      
５ａ、５ｂ  膳板      
７  腰板ユニット      
８  遊技媒体搬送溝      
９  上部固定枠
１０  保持手段      
１０ａ  支持金具      
１０ｂ  支持金具固定ボルト      
１１  位置調整手段    
１１ａ  位置調整孔
１１ｂ  位置調整孔
１１ｃ  位置調整孔
１１ｄ  位置調整孔
１３  足入れ空間      
２０  駆動ローラー      
２１  従属ローラー      
２２  無端ベルト      
２３  搬送フレーム      
２４  円筒      
２５  駆動源      
２６  遊技媒体      
３０  遊技媒体搬送装置      
３１  集積タンク      
３２  研磨揚送装置      
３３  島上タンク      
３４  貯留タンク      
４０  パチンコ機      
５０  パチスロ機
【図１】
2009226124.tif 000003
【図２】
2009226124.tif 000004
【図３】
2009226124.tif 000005
【図４】
2009226124.tif 000006
【図５】
2009226124.tif 000007
【図６】
2009226124.tif 000008